(57)【要約】      （修正有）【課題】最大音圧が得られる周波数を含むスイープ音を確実に出力可能とする。【解決手段】ＰＷＭ処理部５４は一定のデューティ比を持ち、初期設定した最大音圧周波数ｆｐ１を含むスイープ周波数範囲で時間の経過に対し直線的に変化する周波数をもつＰＷＭパルス列を生成して出力し、ローパスフィルタ４２及びアンプ４４を通してスピーカ４６からスイープ音を出力させる。測定処理部５６は、音圧測定モードの設定時に、ＰＷＭ処理部５４によりスピーカ４６からスイープ音を出力させて音圧を測定させる。ＥＥＰＲＯＭ３２には、音圧測定で得られた測定最大音圧周波数ｆｐ２を入力して記憶する。周波数範囲補正部５８はスイープ周波数範囲の中の最大音圧周波数ｆｐ１の初期設定位置を、記憶された測定最大音圧周波数ｆｐ２にシフトしてスイープ周波数範囲を補正する。【選択図】図２
2010049606.tif 000002
【特許請求の範囲】
【請求項１】
異常を検出した際に、時間の経過に伴って周波数が直線的に変化するスイープ音を警報音として音響変換器から出力する警報器に於いて、
所定のデューティ比を持ち、且つ初期設定した最大音圧周波数を含む所定のスイープ周波数範囲で時間の経過に対し直線的に変化する周波数をもつＰＷＭパルス列を生成して出力するＰＷＭ処理部と、
前記ＰＷＭパルス列をローパスフィルタに通して音声信号に変換した後に増幅して前記音響変換器から出力させる音響出力回路部と、
音圧測定モードの設定時に、前記ＰＷＭ処理部及び音響出力回路部により前記音響変換器からスイープ音を出力させて音圧を測定させる音圧測定部と、
前記音圧測定で得られた最大音圧の出る測定最大音圧周波数の入力を受けて記憶する記憶部と、
前記スイープ周波数範囲の中の最大音圧周波数の初期設定位置を、記憶された前記測定最大音圧周波数にシフトして前記スイープ周波数範囲を補正する周波数範囲補正部と、
を備えたことを特徴とする警報器。
【請求項２】
請求項１記載の警報器に於いて、前記周波数範囲補正部は、初期設定したスイープ周波数範囲の最大音圧周波数と、記憶された前記測定最大音圧周波数との差を求め、前記差をなくすように初期設定したスイープ周波数範囲を補正することを特徴とする警報器。
【請求項３】
請求項１記載の警報器に於いて、前記ＰＷＭ処理部は、
時間の経過に対し変化しない所定の振幅データを設定する振幅データ設定部と、
所定のスイープ周波数範囲で時間の経過に対し直線的に変化する周波数を設定する周波数設定部と、
前記振幅データ設定部により設定された振幅データから変換したデューティ比をもち、且つ前記周波数設定部により設定された時間の経過に応じて変化する周波数をもつＰＷＭパルス列を生成して出力するＰＷＭ変換部と、
を備えたことを特徴とする警報器。
【請求項４】
請求項１記載の警報器に於いて、前記音響変換器は、スピーカ又は圧電ブザーを含むことを特徴とする警報器。
【発明の詳細な説明】
【技術分野】
【０００１】
本発明は、一般住宅等に設置され電池駆動により火災を監視して警報する警報器に関する。
【背景技術】
【０００２】
従来、住宅における火災やガス漏れなどの異常を検出して警報する住宅用警報器（以下「住警器」という）が普及している。
【０００３】
このような住警器にあっては、住警器内にセンサ部と警報部を一体に備え、火災を検出すると火災警報を出すようにしており、住警器単体で火災監視と警報ができることから、設置が簡単でコスト的にも安価であり、一般住宅での設置義務化に伴い広く普及している。
【０００４】
従来の住警器で火災を検出した時の警報としては、例えば「ピーピーピー」といった警報音をスピーカ又は圧電ブザーから出力するようにしている。ここで「ピーピーピー」はスイープ音と呼ばれ、スピーカや圧電ブザーの最大音圧が得られる周波数を含む例えば２〜３ＫＨｚといった聞き取りやすいスイープ周波数範囲で時間の経過に対し周波数を直線的に変化させてスイープ音を出力している。
【特許文献１】特開２００５−４４３１７号公報
【特許文献２】特開２００４−５４３５６号公報
【発明の開示】
【発明が解決しようとする課題】
【０００５】
しかしながら、このような従来の警報器にあっては、設計段階で使用するスピーカの特性データから最大音圧が得られる周波数を取得し、スイープ周波数範囲に最大音圧の周波数が含まれるように、スイープ周波数範囲を決めているが、スピーカ又は圧電ブザーの最大音圧が得られる周波数は、個体によるばらつきや、ＣＰＵクロックによるばらつきがあり、設計パラメータに基づいて設定したスイープ周波数範囲では、最大音圧が得られる周波数からスイープ周波数範囲が外れてしまう場合があるという問題がある。
【０００６】
本発明は、最大音圧が得られる周波数を含むスイープ音を確実に出力可能とする警報器を提供することを目的とする。
【課題を解決するための手段】
【０００７】
本発明は、異常を検出した際に、時間の経過に伴って周波数が直線的に変化するスイープ音を警報音として音響変換器から出力する警報器に於いて、
所定のデューティ比を持ち、初期設定した最大音圧周波数を含む所定のスイープ周波数範囲で時間の経過に対し直線的に変化する周波数をもつＰＷＭパルス列を生成して出力するＰＷＭ処理部と、
ＰＷＭパルス列をローパスフィルタに通して音声信号に変換した後に増幅して音響変換器から出力させる音響出力回路部と、
音圧測定モードの設定時に、ＰＷＭ処理部及び音響出力回路部により音響変換器からスイープ音を出力させて音圧を測定させる音圧測定部と、
音圧測定で得られた最大音圧の出る測定最大音圧周波数の入力を受けて記憶する記憶部と、
スイープ周波数範囲の中の最大音圧周波数の初期設定位置を、記憶された測定最大音圧周波数にシフトして前記スイープ周波数範囲を補正する周波数範囲補正部と、
を備えたことを特徴とする警報器。
【０００８】
ここで、周波数範囲補正部は、初期設定したスイープ周波数範囲の最大音圧周波数と、記憶された前記測定最大音圧周波数との差を求め、この差をなくすように初期設定したスイープ周波数範囲を補正する。
【０００９】
ＰＷＭ処理部は、
時間の経過に対し変化しない所定の振幅データを設定する振幅データ設定部と、
所定のスイープ周波数範囲で時間の経過に対し直線的に変化する周波数を設定する周波数設定部と、
振幅データ設定部により設定された振幅データから変換したデューティ比をもち、且つ周波数設定部により設定された時間の経過に応じて変化する周波数をもつＰＷＭパルス列を生成して出力するＰＷＭ変換部と、
を備える。
【００１０】
音響変換器は、スピーカ又は圧電ブザーを含む。
【発明の効果】
【００１１】
本発明によれば、設計パラメータに基づいて初期設定されたスイープ周波数範囲の最大音圧周波数を、警報器毎に測定して記憶した測定最大音圧周波数に一致するようにスイープ周波数範囲が補正され、スピーカや圧電ブザーの個体としてのばらつきにより実際の最大音圧周波数が異なっていても、確実に最大音圧周波数を含むスイープ音を出力することができる。
【発明を実施するための最良の形態】
【００１２】
図１は本発明による住警器の外観を示した説明図であり、図１（Ａ）に正面図を、図１（Ｂ）に側面図を示している。
【００１３】
図１において、本実施形態の住警器１０はカバー１２と本体１４で構成されている。カバー１２の中央には、周囲に煙流入口を開口した検煙部１６が配置され、火災による煙が所定濃度に達したときに火災を検出するようにしている。
【００１４】
カバー１２に設けた検煙部１６の左下側には音響孔１８が設けられ、この背後にスピーカを内蔵し、警報音や音声メッセージを出力できるようにしている。検煙部１６の下側には警報停止スイッチ２０が設けられている。警報停止スイッチ２０は点検スイッチとしての機能を兼ねている。
【００１５】
警報停止スイッチ２０の内部には、点線で示すようにＬＥＤ２２が配置されており、ＬＥＤ２２が点灯すると、警報停止スイッチ２０のスイッチカバーの部分を透過してＬＥＤ２２の点灯状態が外部から分かるようにしている。
【００１６】
また本体１４の裏側上部には取付フック１５が設けられており、設置する部屋の壁にビスなどをねじ込み、このビスに取付フック１５で取り付けることで、壁面に住警器１０を設置することができる。
【００１７】
住警器１０は住宅の居間や寝室などの例えば壁面に設置され、万一、火災が発生した場合いには、火災を検出して警報を開始する。この火災を検出して警報を開始することを、住警器における「発報」という。
【００１８】
火災を検出した時の住警器１０−４の警報音としては、例えばスイープ音として「ピーピーピー」を連続して出力する。同時にＬＥＤ２２を点滅又は明滅させる。住警器１０が警報音を出している状態で、警報停止スイッチ２０を操作すると、警報音が停止し、ＬＥＤ２２が消灯する。
【００１９】
また住警器１０は障害監視機能を備えており、障害を検知すると、例えば「ピッ」といった警報音を所定時間置きに間欠的に出力すると共にＬＥＤ２２を瞬時的に点灯し、障害が発生したことを報知する。住警器１０から出力されている障害警報は、警報停止スイッチ２０を操作することで停止することができる。
【００２０】
住警器１０で検出して警報する障害とは、電池電圧の低下を検出して警報する電池容量低下警報（電池切れ警報）が主なものであり、これ以外に、検煙部などのセンサ障害など適宜の障害警報が含まれる。
【００２１】
図２は本発明による住警器の実施形態を示したブロック図である。住警器１０はＣＰＵ２４を備え、ＣＰＵ２４に対しては、センサ部２６、報知部２８、操作部３０、ＥＥＰＲＯＭ３２、ＲＡＭ３６、移報部３８及び電池電源４０を設けている。
【００２２】
センサ部２６には、本実施形態にあっては検煙部１６が設けられ、煙濃度に応じた煙検出信号をＣＰＵ２４に出力している。センサ部２６には検煙部１６以外に、火災による温度を検出するサーミスタを設けてもよい。またガス漏れ監視用の住警器の場合には、センサ部２６にガス漏れセンサが設けられることになる。
【００２３】
報知部２８にはローパスフィルタ４４及びアンプ４４からなる音響出力回路部により駆動される音響変換器であるスピーカ４６と、表示回路部４8により駆動されるＬＥＤ２２が設けられている。なお、スピーカ４６に代えて圧電ブザーを用いても良い。
【００２４】
ローパスフィルタ４２はコンデンサと抵抗からなる簡単なフィルタであり、ＣＰＵ２４から出力されるＰＷＭパルス列を音声信号波形に変換し、アンプ４４で増幅した後にスピーカ４６からスイープ音を出力させる。ＬＥＤ２２は点滅や明滅、点灯などにより、火災などの異常及び障害を表示する。
【００２５】
操作部３０には警報停止スイッチ２０が設けられている。警報停止スイッチ２０を操作すると、住警器１０から流している警報音を停止することができる。警報停止スイッチ２０は、本実施形態にあっては点検スイッチを兼用している。
【００２６】
警報停止スイッチ２０は、報知部２８からスピーカ４６により警報音を出力しているときに有効となる。一方、警報音を出力していない通常監視状態で警報停止スイッチ２０は点検スイッチとして機能し、点検スイッチを押すと、報知部２８から点検用の音声メッセージなどが出力される。
【００２７】
ＥＥＰＲＯＭ３４には後の説明で明らかにする音圧測定によって得られて入力されたスピーカ４６の最大音圧周波数データ３４が記憶されている。
【００２８】
電池電源４０は、例えば所定セル数のアルカリ乾電池を使用しており、定格電圧として例えば５．０ボルトの電池電圧を供給し、電池容量としては住警器１０における回路部全体の低消費電力化により、約１０年の電池寿命を保証している。
【００２９】
ＣＰＵ２４にはプログラムの実行により実現される機能として、異常監視部５０及びスイープ音処理部５２が設けられている。スイープ音処理部５２には、ＰＷＭ処理部５４、音圧測定部５６及び周波数範囲補正部５８の機能が設けられている。
【００３０】
異常監視部５０は、センサ部２６に設けた検煙部１６からの煙検出信号が火災レベルを超えて火災を検出したときに、報知部２８のスピーカ４６から警報用のスイープ音例えば「ピーピーピー」を繰り返し出力させると共に、報知部２８のＬＥＤ２２を例えば明滅させる。
【００３１】
スイープ音処理部５２に設けたＰＷＭ処理部５４は、所定のデューティ比を持ち、且つ初期設定した最大音圧周波数ｆｐ１を含む所定のスイープ周波数範囲で時間の経過に対し直線的に変化する周波数をもつＰＷＭパルス列を生成して出力する。ＰＷＭ処理部５４から出力されたＰＷＭパルス列はローパスフィルタ４２に通した後にアンプ４４で増幅してスピーカ４６からスイープ音を出力させる。
【００３２】
音圧測定部５２は、スイッチ操作などによる音圧測定モードの設定時に、ＰＷＭ処理部５４により広めに設定したスイープ周波数範囲で周波数が直線的に変化するスイープ音をスピーカ４６から出力させ、別途準備した音圧測定器を使用して音圧を測定し、最大音圧周波数ｆｐ２を得る。
【００３３】
音圧測定により得られた最大音圧周波数ｆｐ２を示す最大音圧周波数データ３４は、パーソナルコンピュータや専用のライターを使用してＥＥＰＲＯＭ３２に入力して記憶される。
【００３４】
なお、測定された最大音圧周波数の記憶は、ジャンパー抵抗によるＣＰＵポートの切替により記憶させても良い。
【００３５】
周波数範囲補正部５８は、スイープ周波数範囲の中の最大音圧周波数ｆｐ１の初期設定位置を、ＥＥＰＲＯＭ３２に記憶された測定最大音圧周波数データ３４による最大音圧周波数ｆｐ２にシフトするようにＰＷＭ処理部５４に予め設定しているスイープ周波数範囲を補正し、補正後のスイープ周波数範囲にスピーカ４６の実測した最大音圧周波数ｆｐ２が必ず入るようにする。
【００３６】
図３は図２のスイープ音処理部５２の機能構成を示したブロック図である。図３において、ＣＰＵ２４には、プログラムの実行により実現される機能であるＰＷＭ処理部５４として、振幅データ設定部６０、レジスタ６２、周波数設定部６４、レジスタ６６、ＰＷＭ変換部６８、及び制御部７０が設けられている。
【００３７】
一方、ＥＥＰＲＯＭ３２には音圧測定により得られたスピーカ４６の最大音圧周波数ｆｐ２を示す最大音圧周波数データ３４が格納されている。更に、ＰＷＭ処理部５４の周波数設定部６４に対しては周波数範囲補正部７２が設けられている。
【００３８】
振幅データ設定部６０は時間の経過に対し変化しない所定の振幅データをレジスタ６２に設定する。周波数設定部６４は、所定のスイープ周波数範囲で時間の経過に対し直線的に変化する周波数をレジスタ６６に設定する。ＰＷＭ変換部６８は、振幅データ設定部６０によりレジスタ６２に設定された振幅データから変換したデューティ比をもち、且つ周波数設定部６４によりレジスタ６６に設定された時間の経過に応じて変化する周波数をもつＰＷＭパルス列を生成して出力する。
【００３９】
図４は図３のＰＷＭ変換部６８おける振幅データをデューティ比に変換するための変換特性を示したグラフ図である。図４において、横軸は振幅データであり、例えば８ビットのデータであり、オール１で最大値Ｄｍａｘとなっている。縦軸はデューティ比Ｒであり、振幅データの最大値Ｔｍａｘでデューティ比Ｒは１００％であり、音声データ０でデューティ比Ｒは０％であり、したがって直線７４を振幅データをデューティ比Ｒに変換するための変換特性として設定している。
【００４０】
再び図３を参照するに、ＰＷＭ変換部６８から出力されたＰＷＭパルスは、コンデンサと抵抗からなる簡単なローパスフィルタ４２を通すことで、ＰＷＭパルスの例えば可聴音声周波数上限を超える周波数成分が除去されて、滑らかな振幅変化を持った正弦波波形に近い音声信号波形に変換され、アンプ４４で増幅された後、スピーカ４６からスイープ音として出力される。
【００４１】
図５は本実施形態で使用しているスピーカ４６の音圧特性とインピーダンス特性を示した説明であり、製品仕様に基づく設計パラメータとして与えられる。
【００４２】
図５において、横軸は周波数ｆであり、対数で示している。縦軸の左側は音圧レベル、右側はインピーダンスである。
【００４３】
スピーカ４６は音圧特性７６をもち、最大音圧９５ｄＢとなる最大音圧周波数ｆｐ１は３．２ＫＨｚ付近にある。なお、スピーカ４６はインピーダンス特性７８をもち、音圧が高くなる部分でインピーダンスもピーク的に増加している。
【００４４】
このようなスピーカの音圧特性７６に対し、スイープ音を出力するためのスイープ周波数範囲７５としては、最大音圧周波数ｆｐ１を含むように例えば５００Ｈｚ〜４ＫＨｚの範囲を設定する。
【００４５】
図６は図３の周波数設定部６４により設定するスイープ周波数を示したタイムチャートである。図６にあっては、横軸の時間ｔに対し縦軸に周波数ｆを示しており、時刻ｔ０からｔ６の時間に亘りスイープ音を出力させる。
【００４６】
時刻ｔ０〜ｔ６の時間は、３つの区間ｔ０〜ｔ２、ｔ２〜ｔ４、及びｔ４〜ｔ６に分割されており、それぞれの時間分割区間で時間の経過に伴って異なった傾きで直線的に変化する折れ線特性を持つ周波数出力特性を設定している。
【００４７】
またスイープ周波数範囲は図５の音圧特性から決めた５００Ｈｚ〜４．０kHzであり、この周波数範囲でスイープ音を変化させることで、高齢者であっても聞き取り易い周波数が存在するため、スイープ音を明確に認識することができる。
【００４８】
またスイープ周波数範囲には、最大音圧周波数ｆｐ１が必ず含まれており、最後の区間の時刻ｔｐで最大音圧周波数ｆｐ１を通過するように最大音圧点Ｐ１を初期設定している。
【００４９】
時間の経過に伴うスイープ周波数の変化は次のようになる。まず、時刻区間ｔ０〜ｔ２にあっては、最小となる開始周波数ｆ１を初期値として、傾きａを持つ直線８０に従って周波数ｆを変化させ、時刻ｔ１で周波数ｆ４に達したら、緩やかな傾きｂを持つ直線８２に従って、時刻ｔ２まで周波数を変化させる。
【００５０】
次の時刻区間ｔ２〜ｔ４については、開始周波数ｆ１に対し、所定周波数Δｆだけプラス方向にシフトした周波数ｆ２を起点として、直線８０と同じ傾きａを持つ直線８４に従って、時刻ｔ３で周波数ｆ５に達するまで周波数ｆを変化させた後、直線８２と同じ傾きｂを持つ直線８６に従って、時刻ｔ４まで周波数ｆを変化させる。
【００５１】
最後の時刻区間ｔ４〜ｔ６については、１つ前の時刻区間ｔ２〜ｔ４における開始周波数ｆ２に対し、所定周波数Δｆだけ高い周波数ｆ３を起点として、傾きａを持つ直線８８に従って、時刻ｔ５で周波数ｆ６に達するまで周波数ｆを直線的に増加させた後、傾きｂを持つ直線９０に従って、時刻ｔ６でまで周波数を直線的に変化させる。
【００５２】
図７は図６のスイープ周波数を時間の経過に伴って設定するための区分関数を示した一覧であり、時間に経過に伴って直線８０，８２，８４，８６，８８，９０に従って発生する周波数は、各時刻区間で分割した区分関数として定義することができる。
【００５３】
この図７の区分関数をＣＰＵ２４におけるプログラムの実行で計算することで、周波数設定部６４は、レジスタ６６に時間の経過に伴って、図６の直線８０〜９０に従って変化する周波数を設定することができ、レジスタ６０に対しては固定的な振幅データが設定されていることから、振幅データに基づく変換された一定のデューティ比を持つ時間の経過に伴って、図６に従って周波数が変化するＰＷＭパルスを生成して出力することができる。
【００５４】
ＰＷＭ処理部６２から出力されたスイープ音出力のためのＰＷＭパルスは、ローパスフィルタ４２を通すことで可聴音声周波数帯域の上限周波数を超える周波数成分が除去されて、ほぼ正弦波形に変換され、アンプ４４で増幅された後、スピーカ４６から例えば「ピーピーピー」といったスイープ音を出力させる。
【００５５】
しかしながら、図６に示したスイープ周波数の設定は、図５の設計データとしての音圧特性７６から得られたものであり、スピーカ４６の最大音圧周波数は個体によるばらつきがあり、図６の周波数設定では、スイープ周波数範囲に、実際に使用しているスピーカの最大音圧周波数が含まれない場合がある。
【００５６】
そこで本発明にあっては、本実施形態の住警器の組立が完了した後の検査試験の段階で、音圧測定モードを設定して警報器から測定用に定めた広いスイープ周波数範囲のスイープ音を実際に出力させ、音圧測定器を使用して最大音圧レベルｆｐ２を測定し、図２に示したように、ＥＥＰＲＯＭ３２に最大音圧周波数データ３２として記憶させる。
【００５７】
ＥＥＰＲＯＭ３２に最大音圧周波数データ３４が記憶された状態で、警報器１０の電池４０からの電源供給を行って起動すると、ＣＰＵ２４によるプログラムの実行による周波数範囲補正部５８の動作により、図３に示すように、ＥＥＰＲＯＭ３２から最大音圧周波数データ３４が読み出され、スイープ周波数範囲の中の最大音圧周波数はｆｐ１の初期設定位置を、記憶された測定最大音圧周波数ｆｐ２に一致するようにスイープ周波数範囲を補正する。
【００５８】
図８は図６のスイープ周波数範囲の補正を示している。スイープ周波数の範囲の補正は、初期設定された最大音圧周波数ｆｐ１と音圧測定で求めた実際の最大音圧周波数ｆｐ２との差周波数Δｆを
Δｆ＝ｆｐ２−ｆｐ１
として求め、図８に示すように、図６の直線８０，８２，８４，８６，８８，９０を周波数軸方向に差周波数Δｆだけシフトさせ、直線８０ａ，８２ａ，８４ａ，８６ａ，８８ａ，９０ａに補正する。
【００５９】
これによって補正前の最大音圧周波数ｆｐ１による最大音圧点Ｐ１は、補正後の最大音圧周波数ｆｐ２による最大音圧点Ｐ２となり、スイープ周波数範囲の予定された時刻ｔｐで最大音圧を出すことができる。
【００６０】
図９は図８の補正後のスイープ周波数を時間の経過に伴って設定するための区分関数を示した一覧であり、右辺の開始位置を決める定数が差周波数Δｆの加算で補正されている。
【００６１】
図１０は図２のスイープ音処理部による警報音処理を示したフローチャートである。まず、工場の検査試験工程でＣＰＵ２４に電池４０が電源を供給して起動すると、ステップＳ１で最大音圧周波数の補正済みの有無をチェックし、最初は補正済みではないことからステップＳ２に進み、音圧測定処理を行う。
【００６２】
音圧測定処理は本実施形態の警報器を音圧測定器を設置した無音響室などに置き、スイッチ操作などにより図３のＰＷＭ処理部５４を動作させ、スピーカ４６からスイープ音を出力させる。この音圧測定の際のスイープ周波数範囲は、図５に示した警報用のスイープ周波数範囲７５より広い周波数範囲、例えば１００Ｈｚ〜６ＫＨｚといった範囲で周波数を変化させる。
【００６３】
この音圧測定により実際に使用しているスピーカの最大音圧周波数ｆｐ２が得られたならば、ステップＳ３で入力操作を受けて警報器のＥＥＰＲＯＭ３２に最大音圧周波数データ３４を記憶する。続いてステップＳ４でスイープ周波数範囲の補正処理を、図８に示したようにして実行し、補正済みフラグをセットする。
【００６４】
一方、工場出荷後にユーザが自宅に設置して電池から電源を供給して使用を開始した場合は、ステップＳ１で補正済みフラグのセットから補正済みが判別され、ステップＳ２〜Ｓ４をスキップしてステップ５に進む。
【００６５】
ステップＳ５にあっては、火災検出による警報音出力指示を待っており、警報音出力指示を判別するとステップＳ６に進み、スイープ音の出力処理を実行し、例えば「ピーピーピー」といったスイープ音をスピーカから出力させる。
【００６６】
続いてステップＳ７で所定時間の経過を待ち、その間にステップＳ８で警報停止が判別されなければ、ステップＳ６に戻ってスイープ音を再度出力し、これを繰り返す。
【００６７】
ステップＳ７で所定時間の経過が判別される前にステップＳ８で警報停止が判別されると、ステップＳ５に戻って次の警報音出力指示を待つ。
【００６８】
図１１は図１０のステップＳ６におけるスイープ音出力処理の詳細を示したフローチャートであり、図３の処理動作を実現する。
【００６９】
図１１のスイープ音出力処理にあっては、まずステップＳ１１で図９に示したスイープ出力用の区分関数における定数を設定する。この定数設定は開始周波数ｆ１，ｆ２，ｆ３，ｆ４，ｆ６，ｆ８、及び傾きａ，ｂの設定を含む。また定数設定は振幅データ設定部６０によるレジスタ６２に対する一定振幅データの固定セットを含む。
【００７０】
続いてステップＳ１２で、経過時間ｔを所定時間Δｔずつ増加させ、ステップＳ１３で現在の経過時間ｔの属する区分の区分関数を選択する。続いてステップＳ１４で選択した区分関数に経過時間ｔを代入して周波数ｆを算出し、レジスタ６６にセットする。
【００７１】
次にステップ１５でレジスタ６２にセットした振幅データを図４の変換特性に従ってデューティ比に変換し、ステップＳ１６で変換したデューティ比を持ち且つレジスタ６６にセットした周波数ｆのＰＷＭパルスを出力する。そして、ステップＳ１２〜Ｓ１７の処理をステップＳ１７でスイープ終了周波数が判別されるまで繰り返す。このようにして出力されるスイープ音には、必ずスピーカの最大音圧となる周波数が含まれ、スイープ音を確実に聞き取ることを可能とする。
【００７２】
なお、上記の実施形態にあっては、スイープ音のみ警報音を出力する場合を例に取っているが、スイープ音と音声メッセージを組み合わせた警報音、例えば「ピーピーピー  火事です  火事です」を出力するようにしても良い。
【００７３】
この場合には、図２のＥＥＰＲＯＭ３２に音声メッセージ信号を例えば８ＫＨｚでサンプリングして８ビットデータとした音声データを記憶しておき、周波数設定部６４でレジスタ６６にサンプル周波数と同じ８ＫＨｚをセットし、時間の経過に伴って振幅データ設定部６０により８ＫＨｚの読出し速度でレジスタ６２にＥＥＰＲＯＭ３２の音声データを読み出して振幅データとしてセットし、ＰＷＭ変換部６８から振幅データから変換したデューティ比を持ち且つ８ＫＨｚのＰＷＭパルスを出力し、ローパスフィルタ４２で音声信号に変換し、アンプ４４で増幅してスピーカ４６から音声メッセージを出力させる。
【００７４】
また上記の実施形態にあっては、一定の振幅データをセットしてデューティ比に変換することで、スピーカ駆動信号の振幅（振幅電圧レベル）を一定に保つようにしているが、振幅データについても時間の経過に応じて所定の傾きで直線的に変化させることでデューティ比を変化させ、スイープ音の音量を時間の経過に伴って例えば初期音量から順次音量を増加させるような警報音の出し方を行うようにしてもよい。
【００７５】
また、上記の実施形態は火災検出を対象とした住警器を例に取るものであったが、これ以外にガス漏れ警報器や防犯用の警報器など、それ以外の適宜の異常を検出する警報器につき、本実施形態をそのまま適用できる。また住宅用に限らず、ビルやオフィス用などの各種の用途の警報器にも適用できる。
【００７６】
また上記の実施形態は警報器にセンサ部を一体に設けた場合を例に取るものであったが、他の実施形態として警報器からセンサ部を別体として設けた警報器であっても良い。
【００７７】
また本発明は上記の実施形態に限定されず、その目的と利点を損なうことのない適宜の変形を含み、更に上記の実施形態に示した数値による限定は受けない。
【図面の簡単な説明】
【００７８】
【図１】本発明による住警器の外観を示した説明図
【図２】本発明による住警器の実施形態を示したブロック図
【図３】図２のスイープ音処理部の機能構成を示したブロック図
【図４】振幅データをデューティ比に変換する変換特性を示したグラフ図
【図５】設計パラメータとして提供されるスピーカの音圧特性を示したグラフ図
【図６】初期設定されたスイープ周波数の時間変化を示したタイムチャート
【図７】図６のスイープ周波数の時間変化を生成する区分関数の一覧を示した説明図
【図８】測定された最大音圧周波数に基づいて補正されたスイープ周波数の時間変化を示したタイムチャート
【図９】図８の補正されたスイープ周波数の時間変化を生成する区分関数の一覧を示した説明図
【図１０】図２の実施形態による警報音処理を示したフローチャート
【図１１】図１０のステップＳ６におけるスイープ音出力処理の詳細を示したフローチャート
【符号の説明】
【００７９】
１０：住警器
１２：カバー
１４：本体
１５：取付フック
１６：検煙部
１８：音響孔
２０：警報停止スイッチ
２２：ＬＥＤ
２４：ＣＰＵ
２６：センサ部
２８：ＣＰＵ
３０：操作部
３２：ＥＥＰＲＯＭ
３４：最大音圧周波数データ
３６：ＲＡＭ
３８：移報部
４０：電池電源
４２：ローパスフィルタ
４４：アンプ
４６：スピーカ
４８：表示回路部
５０：異常監視部
５２：警報音処理部
５４：スイープ音処理部
５６：音圧測定部
５８：周波数範囲補正部
６０：振幅データ設定部
６２，６６：レジスタ
６４：周波数設定部
６８：ＰＷＭ変換部
７０：制御部
７２：音圧特性
【図１】
2010049606.tif 000003
【図２】
2010049606.tif 000004
【図３】
2010049606.tif 000005
【図４】
2010049606.tif 000006
【図５】
2010049606.tif 000007
【図６】
2010049606.tif 000008
【図７】
2010049606.tif 000009
【図８】
2010049606.tif 000010
【図９】
2010049606.tif 000011
【図１０】
2010049606.tif 000012
【図１１】
2010049606.tif 000013